(57)【要約】【課題】交換レンズ鏡筒をカメラボディに装着する際、接点ピンの円周方向の傾きを抑えることができる交換レンズ鏡筒を提供する。【解決手段】光学機器に設けられた光学機器側電気接点部と接触可能な電気接点部（２１）を一端に有し、中間部に段差部（２３）を有し、段差部（２３）の両側に摺動部（２１ａ，２２ａ）を有する電気接点部材（２）と、電気接点部材（２）の両摺動部（２１ａ，２２ａ）を摺動可能に支持する支持部材（１）と、一端部が電気接点部材（２）の段差部（２３）と係合するとともに、電気接点部材（２３）を支持部材（１）の半径方向外方へ付勢し、他端部が回路基板に接触する弾性部材（３）とを備えている。【選択図】図４
2010181431.tif 000002
【特許請求の範囲】
【請求項１】
光学機器に設けられた光学機器側電気接点部と接触可能な電気接点部を一端に有し、中間部に段差部を有し、前記段差部の両側に摺動部を有する電気接点部材と、
前記電気接点部材の両摺動部を摺動可能に支持する支持部材と、
一端部が前記電気接点部材の段差部と係合するとともに、前記電気接点部材を前記支持部材の半径方向外方へ付勢し、他端部が回路基板に接触する弾性部材と
を備えていることを特徴とする交換レンズ鏡筒。
【請求項２】
前記電気接点部材の前記段差部は、前記電気接点部側の径が他端側の径より大きく形成され、前記他端側の径が前記他端側の前記摺動部の径と同一に形成されていることを特徴とする請求項1記載の交換レンズ鏡筒。
【請求項３】
前記支持部材は、前記電気接点部の先端を突出可能な穴を有し、前記穴には径方向外方へ向けて広がるテーパ面が形成されていることを特徴とする請求項1又は２記載の交換レンズ鏡筒。
【発明の詳細な説明】
【技術分野】
【０００１】
この発明は交換レンズ鏡筒に関する。
【背景技術】
【０００２】
従来の交換レンズ鏡筒のマウント構造として、下記特許文献に記載されたものがある。交換レンズ鏡筒のレンズマウント内筒にピン嵌合孔が設けられ、ピン嵌合孔に接点ピンが摺動可能に嵌合している。接点ピンは圧縮コイルバネでレンズの径方向外方へ付勢されている。圧縮コイルバネは導電性材料で形成され、交換レンズ鏡筒の電気回路基板と導通する。交換レンズ鏡筒をカメラボディに装着すると、カメラボディに設けられた電気接点面に交換レンズ鏡筒の接点ピンが接触し、カメラボディ内の電気回路と交換レンズ鏡筒内の電気回路とが電気的に接続される。
【先行技術文献】
【特許文献】
【０００３】
【特許文献１】特開昭６２−１７８２２５号公報
【発明の概要】
【発明が解決しようとする課題】
【０００４】
しかし、上述の交換レンズ鏡筒のマウント構造では、圧縮コイルバネが採用され、しかも圧縮コイルバネの外径が接点ピンの下部の外形より小さいため、交換レンズ鏡筒をカメラボディに装着したとき、カメラボディ側電気接点との摩擦によって接点ピンが円周方向へ傾き、接点ピンと共に圧縮コイルバネも傾いて圧縮コイルバネと電気回路基板との間で接触不良を起こすおそれがある。また、接点ピンの傾きにより、カメラボディ側電気接点とも位置がずれて接触不良を起こすおそれがある。
【０００５】
この発明は上述の事情に鑑みてなされたもので、その課題は交換レンズ鏡筒をカメラボディに装着するとき、接点ピンの円周方向の傾きを抑えることである。
【課題を解決するための手段】
【０００６】
上記課題を解決するため請求項１記載の発明は、光学機器に設けられた光学機器側電気接点部と接触可能な電気接点部を一端に有し、中間部に段差部を有し、前記段差部の両側に摺動部を有する電気接点部材と、前記電気接点部材の両摺動部を摺動可能に支持する支持部材と、一端部が前記電気接点部材の段差部と係合するとともに、前記電気接点部材を前記支持部材の半径方向外方へ付勢し、他端部が回路基板に接触する弾性部材とを備えていることを特徴とする。
【０００７】
請求項２に記載の発明は、請求項１記載の交換レンズ鏡筒において、前記電気接点部材の前記段差部は、前記電気接点部側の径が他端側の径より大きく形成され、前記他端側の径が前記他端側の前記摺動部の径と同一に形成されていることを特徴とする。
【０００８】
請求項３に記載の発明は、請求項１又は２記載の交換レンズ鏡筒において、前記支持部材は、前記電気接点部の先端を突出可能な穴を有し、前記穴には径方向外方へ向けて広がるテーパ面が形成されていることを特徴とする。
【発明の効果】
【０００９】
この発明によれば、交換レンズ鏡筒をカメラボディに装着する際、接点ピンの円周方向の傾きを抑えることができる。
【図面の簡単な説明】
【００１０】
【図１】図１はこの発明の一実施形態に係る交換レンズ鏡筒の断面を示す概念図である。
【図２】図２はコネクタの斜視図である。
【図３】図３は図２の接点ピンをＸ−Ｚ面で切断した斜視図である。
【図４】図４は図２の接点ピンをＹ−Ｚ面で切断した斜視図である。
【図５】図５は図２のビスをＹ−Ｚ面で切断した斜視図である。
【図６】図６（ａ），（ｂ）はコネクタの断面を示す概念図である。
【図７】図７はコネクタの断面を示す概念図である。
【発明を実施するための形態】
【００１１】
以下、この発明の実施形態を図面に基づいて説明する。
【００１２】
図１はこの発明の一実施形態に係る交換レンズ鏡筒５０の断面を示す概念図である。
【００１３】
交換レンズ鏡筒５０は光学機器であるカメラボディ（図示せず）に着脱可能である。交換レンズ鏡筒５０は、円筒形状の固定筒１６を備え、固定筒１６の一端部にはカメラボディ側のマウント（図示せず）に連結するためのバヨネットマウント３０が設けられている。したがって、交換レンズ鏡筒５０をカメラボディに対して相対的に時計方向又は反時計方向に回転させることにより交換レンズ鏡筒５０をカメラボディに着脱することができる。
【００１４】
ところで、交換レンズ鏡筒５０が有するＦＰＣ（回路基板）５とカメラボディが有する電気回路（図示せず）との間で情報（例えば自動露出制御を行うための情報）の授受が行われる。この情報授受のため、交換レンズ鏡筒５０のバヨネットマウント３０の近傍には、カメラボディの電気接点部（図示せず）に接触可能な複数の接点ピン（電気接点部材）２を有するコネクタ１００が設けられている。
【００１５】
固定筒１６の内周面側にはリード筒１７が回転可能に嵌合している。リード筒１７の外周面側には溝１７ａが設けられている。
【００１６】
固定筒１６の外周面側には円筒部材１５が回転可能に嵌合し、円筒部材１５の内周面側には固定筒１６に設けられた切欠きを通って固定筒１６の内方へ突出する突起部１５ａが設けられている。突起部１５ａは溝１７ａに係合し、円筒部材１５はリード筒１７と一体的に光軸Ｌ周りに回転する。
【００１７】
また、リード筒１７の内周面側にはリードネジ１７ｂが設けられており、リードネジ１７ｂはレンズ保持枠１８の外周面側に設けられたリードネジ１８ｂに螺合している。レンズ保持枠１８は不図示の直進機構により回転不能かつ直進可能である。なお、移動レンズＬ５〜Ｌ８を保持するレンズ保持枠１８〜２０によってフォーカスレンズ群が形成され、移動レンズＬ５〜Ｌ８は光軸Ｌに沿って一体的に移動する。
【００１８】
また、円筒部材１５は、軸１３、軸１３の一端部に取り付けられたギア部材１４、軸１３の他端部に取り付けられたギア部材１２を介して、手動操作リング１１に連結されている。円筒部材１５の外周面に設けられた歯車１５ｂとギア部材１４の歯車１４ｂとが噛み合っている。また、ギア部材１２の歯車１２ｂと手動操作リング１１の内周面側に設けられた歯車１１ｂとが噛み合っている。
【００１９】
次に、交換レンズ鏡筒５０のフォーカシング動作を説明する。
【００２０】
手動操作リング１１を回転させると、その回転力はギア部材１２、軸１３、ギア部材１４を介して円筒部材１５に伝達され、円筒部材１５が光軸Ｌ周りに回転する。円筒部材１５が光軸Ｌ周りに回転すると、その回転力はリード筒１７、レンズ保持枠１８に伝達される。このとき、直進機構により、リード筒１７の回転運動はレンズ保持枠１８の直線運動に変換されるため、レンズ保持枠１８〜２０は光軸Ｌに沿って一体的に移動し、フォーカシングが行われる。
【００２１】
図２はコネクタ１００の斜視図、図３は図２の接点ピン２をＸ−Ｚ面で切断した斜視図、図４は図２の接点ピン２をＹ−Ｚ面で切断した斜視図、図５は図２のビス１０５をＹ−Ｚ面で切断した斜視図、図６（ａ），（ｂ）はコネクタ１００の断面を示す概念図である。
【００２２】
図６（ａ）は接点ピン２に交換レンズ鏡筒５０の半径方向内方への力Ｐが加わらないとき（交換レンズ鏡筒５０をカメラボディから取り外したとき）の状態を示し、図６（ｂ）は接点ピン２に半径方向内方への力Ｐが加わったとき（交換レンズ鏡筒５０をカメラボディに装着したとき）の状態を示す。
【００２３】
コネクタ１００は、図２、３に示すように、ほぼ円弧状の上側カバー（支持部材）１と、下側カバー４と、接点ピン２を有する板バネ（弾性部材）３と、板バネ３をＦＰＣ５（図６（ａ），（ｂ）参照）に圧接するための板バネ押さえ６とを備えている。
【００２４】
上側カバー１は複数の穴１０１と複数の溝１０２とが周方向に設けられている。穴１０１と溝１０２とは径方向で対向する。穴１０１は四角形であり、接点ピン２の大径部（電気接点部）２１の先端が突出可能な大きさを有する。穴１０１には径方向外方へ向けて広がるテーパ面１０１ａが形成されている。
【００２５】
接点ピン２は、カメラボディの接点ピン（図示せず）に接触することにより、両者を電気的に接続可能である。
【００２６】
接点ピン２はカメラボディの接点ピンに接触する大径部２１と、小径部２２と、大径部２１と小径部２２との間に形成されたつば部（段差部）２３とからなる。大径部２１の摺動部２１ａは上側カバー１の上部の穴１０１に摺動可能に嵌合している。大径部２１の先端は穴１０１から突出している。小径部２２の摺動部２２ａは上側カバー１の下部に形成された溝１０２に摺動可能に嵌合している。
【００２７】
接点ピン２の両端部（大径部２１及び小径部２２）が摺動可能に嵌合しているので、交換レンズ鏡筒５０を光軸Ｌ周りに回転させて交換レンズ鏡筒５０をカメラボディに装着するとき、カメラボディ側の電気接点部に接点ピン２が接触しても接点ピン２の円周方向（光軸Ｌを中心とする円周方向）の傾きを軽減させることができる。
【００２８】
また、上側カバー１には、上側カバー１と下側カバー４をバヨネットマウント３０に固定するためのビス１０５を挿入するための穴１０６と、後述する板バネ押さえ６の凸部（不図示）を嵌合可能な孔１０７とが円周方向に沿って形成されている。
【００２９】
下側カバー４は円弧状であり、その両端部にはＬ字状の折曲げ部４１が形成されている（図５参照）。折曲げ部４１にビス孔４２が形成されている。バヨネットマウント３０の穴（不図示）と上側カバー１の穴１０６とに挿入されたビス１０５が下側カバー４のビス穴４２に螺合することによって上側カバー１と下側カバー４がバヨネットマウント３０に固定される。下側カバー４の上面にはＦＰＣ５が不図示の両面テープによって貼り付けられている。
【００３０】
下側カバー４と上側カバー１との間には接点ピン２を上側カバー１の径方向外方へ付勢する板バネ３が配置されている。板バネ３の一端部には接点ピン２の小径部２２（摺動部２２ａ）を摺動可能に支持する穴３１が設けられ、Ｕ字形に折り曲げられた他端部にはＦＰＣ５に当接する接触部３２が設けられている。
【００３１】
板バネ３と上側カバー１との間には板バネ押さえ６が配置されている。板バネ押さえ６に設けられた凸部（不図示）が上側カバー１の穴１０７に嵌合する。板バネ押さえ６が板バネ３を押さえ、板バネ３の接触部３２がＦＰＣ５に押し付けられる。
【００３２】
次に交換レンズ鏡筒５０の動作を図７に基づいて説明する。なお、図７には上側カバー１及び接点ピン２だけが示されている。
【００３３】
図７はコネクタ１００の断面を示す概念図である。図７において、実線はカメラボディ側のコネクタ２００によって接点ピン２が押される前の状態を示し、二点鎖線はカメラボディ側のコネクタ２００によって接点ピン２が力Ｐで押された後の状態示す。
【００３４】
交換レンズ鏡筒５０を光軸Ｌ周りに回転させて交換レンズ鏡筒５０をカメラボディに装着するとき、カメラボディ側のコネクタ２００に接触する接点ピン２はコネクタ２００により円周方向に押されながら半径方向内方（実線で示した位置から二点鎖線で示した位置へ）移動するが、接点ピン２は半径方向に離れた２箇所で上側カバー１に摺動可能に嵌合しているので、接点ピン２の円周方向の傾きが抑制される。
【００３５】
この実施形態によれば、交換レンズ鏡筒５０をカメラボディに装着するときに起きる、接点ピン２の円周方向の傾きを抑制することができる。また、穴１０１には径方向外方へ向けて広がるテーパ面を形成したので、上側カバーをモールド成形したとき型抜きし易い。
【符号の説明】
【００３６】
１：上側カバー（支持部材）、２：接点ピン（電気接点部材）、３：板バネ（弾性部材）、２１：大径部（電気接点部）、２１ａ，２２ａ：摺動部、２３：つば部（段差部）、５０：交換レンズ鏡筒、１０１：穴、１０１ａ：テーパ面。
【図１】
2010181431.tif 000003
【図２】
2010181431.tif 000004
【図３】
2010181431.tif 000005
【図４】
2010181431.tif 000006
【図５】
2010181431.tif 000007
【図６】
2010181431.tif 000008
【図７】
2010181431.tif 000009